(57)【要約】【課題】  本発明は、フレグランスを使用するためのものであると共に、瓶の内部に宝石による装飾を施して、アクセサリー及びインテリヤ、並びにお守りとしての宝石入りフレグランスボトルを提供する。【解決手段】  本願発明の宝石入りフレグランスボトルは、容量５ｍｌの無色透明のガラス製瓶１１に１カラットの誕生石のガーネット１２を１個、また、フレグランス１３はラン系の香料であり、４．５ｍｌ使用する。このフレグランスは淡黄色透明である。ガラスとフレグランスとガーネットの三者の屈折率が大きく異なるため、この宝石入りフレグランスボトルのガーネットは空気中で鑑賞する場合よりも美しく、この宝石入りフレグランスボトルは、全体としても美しい。この宝石入りフレグランスボトルは、お守りとしても利用される。【選択図】      図２
2005118480.tif 000002
【特許請求の範囲】
【請求項１】
瓶と宝石とフレグランスとからなることを特徴とする宝石入りフレグランスボトル。
【請求項２】
上記瓶は透明である請求項１に記載の宝石入りフレグランスボトル。
【請求項３】
上記宝石は誕生石である請求項１又は２に記載の宝石入りフレグランスボトル。
【請求項４】
上記フレグランスは透明である請求項１乃至３のいずれか１項に記載の宝石入りフレグランスボトル。
【発明の詳細な説明】
【技術分野】
【０００１】
本発明は、宝石入りフレグランスボトルに関する。更に詳しくは瓶と宝石とフレグランスからなり、上記瓶の内部にも装飾を施して、購買意欲を増進させる宝石入りフレグランスボトルに関する。この宝石入りフレグランスボトルはフレグランスの使用、アクセサリー及びインテリヤ、並びにお守りとして利用される。
【背景技術】
【０００２】
従来から、香水入り容器は香水と瓶とからなるものが普及している。この従来の香水入り容器の多くは、これを構成する瓶（以下単に「瓶」という）の外部に種々のデザインを施して、外観を美しくして装飾的効果を大きくして消費者の購買意欲を高めている。また、香水は身体、衣服又はハンカチ等に塗布するものであり、一定時間が経過すると香りは消滅する。このため一定期間経過後に再度身体等に塗布するため一般に外出時に持ち歩く。従って、香水入り容器は香水を使用するためだけでなくアクセサリーとしての装飾的な効果も持ち合わせている。更に室内においてはインテリヤとしての装飾的効果を有する。
【０００３】
しかし、従来の香水入り容器は瓶の外部のみに装飾を施したもののみであり、瓶の内部にまで装飾を施したものはない。更に、経済の発達、消費の多様化及び差別化が定着した今日においては、消費者は単に瓶の外部に装飾を施した香水入り容器では満足しない。
【０００４】
一方、宝石は装飾品と優れたものであり、従来から指輪、イヤリング及びネックレス等に使用されている。更に、単なる装飾であるばかりでなく、例えば誕生石の如く元来、お守りとしての意味がある。従って、特に女性は常にこの宝石を携帯したいという願望がある。また、上記のように消費の多様化及び差別化が定着した今日においては、消費者は宝石を単に、指輪、イヤリング及びネックレス等に使用するのみでは満足しない。
【発明の開示】
【発明が解決しようとする課題】
【０００５】
本願発明者は長年にわたって、消費者の購買行動を調査・研究した結果、香りのおしゃれと、アクセサリー及びインテリヤ等の外観のおしゃれ並びにお守りを兼備した宝石入りフレグランスボトルを発明するに至った。
本発明は、フレグランスを使用するためのものであると共に、宝石入りフレグランスボトルを構成する瓶の内部に宝石による装飾を施して、アクセサリー及びインテリヤ、並びにお守りとしての宝石入りフレグランスボトルを提供することを目的とする。
【課題を解決するための手段】
【０００６】
本発明は以下に示す通りである。
１．瓶と宝石とフレグランスとからなることを特徴とする宝石入りフレグランスボトル。
２．上記瓶は透明である上記１．に記載の宝石入りフレグランスボトル。
３．上記宝石は誕生石である上記１．又は２．のいずれかに記載の宝石入りフレグランスボトル。
４．上記フレグランスは透明である上記１．乃至上記３．のいずれかに記載の宝石入りフレグランスボトル。
【発明の効果】
【０００７】
本発明の宝石入りフレグランスボトルは、装飾的効果が大きく及び／又はお守り的価値を有する。
また、宝石入りフレグランスボトルを構成する瓶が透明である場合は、瓶内部の宝石を鑑賞できるために、更に装飾的効果が大きい。
更に、宝石が誕生石である場合は、お守りとしての意味が大きくなるため、使用する者に常に携帯したいという願望を満足させる。
また、このフレグランスが透明である場合は、宝石が明瞭に鑑賞できるため、一層装飾的効果が大きい。
【発明を実施するための最良の形態】
【０００８】
本発明について、以下詳細に説明する。
本願発明の宝石入りフレグランスボトルは瓶と宝石とフレグランスとからなることを特徴とする。本願発明に用いる瓶については収納したフレグランスを使用できるものであれば、材質、形状、大きさ、色彩及び模様等について、限定されない。
【０００９】
上記材質はガラス、プラスチック、金属、陶器及び磁器等の全てのものが使用できる。上記材質のうちで、瓶の内部が見える透明なものが好ましい。具体的には、ガラス及びプラスチック等が挙げられる。これらのうちでガラスが好ましく用いられる。
この透明は無色透明、着色透明及び半透明を含む。更に、この透明は一部無色透明、一部半透明、一部着色透明、無色透明と半透明の組合せ、着色透明と無色透明の組合せ等も含む。
【００１０】
上記ガラスの種類は特に限定されない。具体的にはソーダガラス、カリガラス、ホウ珪酸ガラス及び石英ガラス等が挙げられる。これらのうちでソーダガラスが好ましく用いられる。このソーダガラスは入手が容易であり、比較的光の反射率及び屈折率が高く、宝石入りフレグランスボトルの内部にある宝石を引き立たせることができるためである。
【００１１】
上記プラスチックは透明であれば特に限定されない。具体的には透明の熱可塑性樹脂及び熱硬化性樹脂等が挙げられる。透明の熱可塑性樹脂の具体例はポリカーボネート樹脂、プロピレン樹脂、ＡＢＳ樹脂、ポリスチレン樹脂、ナイロン樹脂、ポリエチレン樹脂、ポリブチレンテレフタレート樹脂、アクリル樹脂、メタクリル樹脂、ポリメチルメタクリレート及びスチレン−メチルメタクリレート共重合体等が挙げられる。また、熱硬化性樹脂としてはエポキシ樹脂、フェノール樹脂及びウレタン樹脂等が挙げられる。樹脂の透明についてはガラスの透明で詳述したものが適用できる。
【００１２】
上記瓶の形状は特に限定されない。既知の形状のものを使用できる。具体的には多面体型瓶形状（図１参照）、角型瓶形状、丸型瓶形状、ひょうたん型瓶形状、三角錐型瓶形状、円錐型瓶形状及び四角錐型瓶形状等を用いることができる。これらのうちで多面体型瓶形状のものが好ましく用いられ。
【００１３】
上記瓶の大きさも特に限定されない。携帯用アクセサリーとして使用する場合は、好ましくは内容量３〜１０ｍｌ、より好ましくは内容量４〜７ｍｌ、更に好ましくは内容量５〜６ｍｌである。
また、室内用インテリヤとして使用する場合は、好ましくは内容量５〜５０ｍｌ、より好ましくは内容量５〜４５ｍｌ、更に好ましくは内容量５〜４０ｍｌである。
【００１４】
上記瓶の模様については特に限定されない。宝石入りフレグランスボトルを更に美しくするために模様をつけることもできる。具体的には、見る方向により赤みを帯びて見えたり、緑を帯びて見えたりする玉虫模様、色分け模様、浮出し模様及びカット模様等を付けることができる。
【００１５】
上記瓶には蓋が設けられる。フレグランスは揮発性であるため気密を保持するためである。蓋の形状及び材質等は特に限定されない。この気密を保持するために、蓋は軟質の材質のものを使用して瓶の開口部と蓋を密着させることが好ましい。また、蓋に軟質の樹脂又はゴム等のパッキンを使用して機密性を保持することもできる。
【００１６】
更に、上記蓋の代わりにプッシュ式スプレーとすることもできる。このプッシュ式スプレーは使用しないときは瓶を密閉する構造の既知のものを使用することができる。
【００１７】
瓶の口は、フレグランスを塗布する場合に過剰に塗布することを防止するために、その開口部は好ましくは３〜６ｍｍ、更に好ましくは３〜５ｍｍ、より好ましくは３〜４ｍｍである。上記の範囲内であるとフレグランスの塗布量が適切であり、更に宝石の出し入れが容易となる。
【００１８】
本願発明に用いられる宝石については種類、色彩、形状、大きさ及び数等については、特に限定されない。市販の宝石を用いることができる。
上記宝石の種類は特に限定されない。例えば、天然鉱物系宝石、及び人造鉱物系宝石等が挙げられる。これらのいずれも用いることができる。これらの宝石は単独でも使用できるし、２種以上を併用することもできる。これらの宝石のうちで天然鉱物系の宝石が好ましく用いられる。
【００１９】
この天然鉱物系の宝石の具体例は、ガーネット、アメジスト、アクアマリン、ホワイトトパーズ、ジェード、ムーンストーン、カーネリアン、ぺリドット、ラピスラズリ、ローズクオーツ、シトリン、ブルートパーズ、ダイヤモンド、エメラルド、サファイア、ルビー及びオパール等が挙げられる。これらのうちの２種以上併用して用いることもできる。
【００２０】
また、人造鉱物系宝石としては合成ルビー、合成サファイア、合成スピネル、合成エメラルド、合成クオーツ、合成トルコ石及び合成オパール等が上げられる。これらのうちの２種以上併用して用いることもできる。
【００２１】
上記宝石のうちで、誕生石であるガーネット、アメジスト、アクアマリン、ホワイトトパーズ、ジェード、ムーンストーン、カーネリアン、ぺリドット、ラピスラズリ、ローズクオーツ、シトリン及びブルートパーズが好ましく用いられる。これらの宝石はお守りの意味があり、常に携帯したしたいという願望を満たすためである。
【００２２】
上記宝石の色彩は特に限定されない。無色、赤、橙、黄、緑及び青等の単一の色相であってもよい。また、複数の色相であっても良い。更に、無色透明、半透明、着色透明及び着色不透明のいずれのものも使用できる。これらのうちで着色透明のものが好ましく用いられる。着色透明であると瓶のガラス、フレグランス及び宝石の屈折率が異なるため特に装飾的効果が大きいためである。
この宝石の屈折率は好ましくは１．０４〜１．７９、より好ましくは１．０２〜１．７５である。この範囲であると特に装飾的効果が大きいためである。
【００２３】
宝石の大きさは特に限定されない。市販のカラットのものが使用できる。また、形状も特に限定されない。カットも特に限定されない。このカットは天然のカットであってもよいし、人工カットでもよい。これらのうちで天然カットのものが好ましく用いられる。また、カット面数の多いものが好ましく用いられる。また、宝石の数も特に限定されない。個々の宝石の大きさ、色彩及びカット等により適宜選択できる。通常個々の宝石が小さい場合は、複数の宝石を用いることもできる。通常は１個用いる。
【００２４】
本発明の宝石入りフレグランスボトルを構成するフレグランスの原料となる香水の種類は特に限定されない。パルファン、オーデパルファン、オードトワレ及びオーデコロンのいずれも使用できる。本願発明で用いるフレグランスは上記香水に限らず、香水よりも濃度の低いものも含む。
【００２５】
上記フレグランスに使用される香料の種類については特に限定されない。宝石の種類、形状、色及び数等により、又は、瓶の形状、色、大きさ及び模様等により適宜選択できる。具体的には、フローラル系、オリエンタル系、シプレ系、ナチュラル系、シトラス系及びフゼア系等が挙げられる。これらのうちの２種以上を併用することもできる。
【００２６】
上記フレグランスの色は特に限定されない。フレグランスの種類、香料の種類、使用する瓶の形状、大きさ、色彩及び模様等、並びに使用する宝石の種類、形状、大きさ及び数等により適宜選択できる。
【００２７】
このフレグランスは透明であることが好ましい。宝石入りフレグランスボトルの内部が見えるため特に装飾的効果が大きいためである。
【実施例】
【００２８】
以下実施例を挙げて説明する。
（１）実施例
実施例１
図１に示す５ｍｌ入り無色透明のガラス製瓶１１を用いて、図２に示す宝石の種類はガーネット１２を使用した。このガーネットは１カラットのものを１個使用し、また、図２に示すフレグランス１３はラン系の香料を４．５ｍｌ使用した。このフレグランスは淡黄色透明である。
実施例２
上記宝石の種類がアメジストであり、フレグランスはラベンダー系の香りを使用し、フレグランスが淡緑色透明であること以外は実施例１と同じにした。
実施例３
上記宝石の種類がアクアマリンであり、フレグランスは柑橘系の香りを使用したこと以外は実施例１と同じにした。
【００２９】
（２）比較例
比較例１
宝石を入れないこと以外は実施例１と同じとした。
【００３０】
（３）実施例の効果
比較例１は、装飾的効果が小さく平凡なものであった。これに対して、実施例１〜３の本願発明の宝石入りフレグランスボトルは瓶の透明性とフレグランスの淡色と宝石のコントラストがよく宝石入りフレグランスボトル全体として鑑賞性に優れた。
【産業上の利用可能性】
【００３１】
本発明は、香りのおしゃれ、アクセサリー、インテリヤ、お守り及びプレゼント等に広く利用される。
【図面の簡単な説明】
【００３２】
【図１】本発明の宝石入りフレグランスボトルを構成する瓶の正面図である。
【図２】本発明の宝石入りフレグランスボトルの断面図である。
【符号の説明】
【００３３】
１：宝石入りフレグランスボトル、１１：瓶、１２：宝石、１３：フレグランス、14：ガラス、１５：蓋。
【図１】
2005118480.tif 000003
【図２】
2005118480.tif 000004